(57)【特許請求の範囲】
【請求項１】
ソース機器によって行われるデータを送受信する方法であって、
シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報の読み取り要請を送信することと、
前記シンク機器から前記ＥＤＩＤ情報を受信することと、
前記ＥＤＩＤ情報に基づいてビデオタイミングブロックを決定することと、
を含み、
前記ＥＤＩＤ情報は、
基本解像度情報を含むＢａｓｅ  ＥＤＩＤブロックと、
高解像度情報を含む少なくとも１つのビデオタイミングブロックと、前記少なくとも１つのビデオタイミングブロックの優先順位情報とを含むＤｉｓｐｌａｙＩＤ（Ｄｉｓｐｌａｙ  Ｉｄｅｎｔｉｆｉｃａｔｉｏｎ  Ｄａｔａ）ストラクチャと
を含む、方法。
【請求項２】
前記優先順位情報は、前記シンク機器によって支援可能な前記少なくとも１つのビデオタイミングブロック、または、複数のビデオタイミングブロックの優先順位を表す、請求項１に記載の方法。
【請求項３】
前記優先順位情報が、前記シンク機器によって支援可能な１つのビデオタイミングブロックを表す場合、前記ビデオタイミングブロックを決定することは、前記シンク機器によって支援可能なビデオタイミングブロックを選択することを含む、請求項２に記載の方法。
【請求項４】
前記優先順位情報が、前記シンク機器によって支援可能な複数のビデオタイミングブロックを表す場合、前記ビデオタイミングブロックを決定することは、前記優先順位情報に応じて前記ビデオタイミングブロックを選択することを含む、請求項２に記載の方法。
【請求項５】
前記優先順位情報が前記複数のビデオタイミングブロックの優先順位を表す場合、
ビデオデータの推奨解像度情報と、前記複数のビデオタイミングブロックの優先順位を前記優先順位情報に応じて順次マッチングすることをさらに含む、請求項２に記載の方法。
【請求項６】
前記ビデオタイミングブロックを決定することは、前記マッチングした結果、前記複数のビデオタイミングブロックの優先順位のうちから、前記ビデオデータの推奨解像度情報とマッチングされるビデオタイミングブロックを選択することを含む、請求項５に記載の方法。
【請求項７】
ソース機器であって、
データを送受信するように構成された送信機と、
前記送信機を制御するように構成されたコントロールユニットと、
を備え、
前記ソース機器は、
シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報の読み取り要請を送信することと、
前記シンク機器から前記ＥＤＩＤ情報を受信することと、
前記ＥＤＩＤ情報に基づいてビデオタイミングブロックを決定することと
を行うように構成され、
前記ＥＤＩＤ情報は、
基本解像度情報を含むＢａｓｅ  ＥＤＩＤブロックと、
高解像度情報を含む少なくとも１つのビデオタイミングブロックと、前記少なくとも１つのビデオタイミングブロックの優先順位情報とを含むＤｉｓｐｌａｙＩＤ（Ｄｉｓｐｌａｙ  Ｉｄｅｎｔｉｆｉｃａｔｉｏｎ  Ｄａｔａ）ストラクチャと
を含む、ソース機器。
【請求項８】
前記優先順位情報は、前記シンク機器によって支援可能な少なくとも１つのビデオタイミングブロック、または複数のビデオタイミングブロックの優先順位を表す、請求項７に記載のソース機器。
【請求項９】
前記優先順位情報が、前記シンク機器によって支援可能な１つのビデオタイミングブロックを表す場合、前記ソース機器は、前記シンク機器によって支援可能なビデオタイミングブロックを選択する、請求項８に記載のソース機器。
【請求項１０】
前記優先順位情報が、前記シンク機器によって支援可能な複数のビデオタイミングブロックを表す場合、前記ソース機器は、前記優先順位情報に基づいてビデオタイミングブロックを選択する、請求項８に記載のソース機器。
【請求項１１】
前記優先順位情報が前記複数のビデオタイミングブロックの優先順位を表す場合、
前記ソース機器は、ビデオデータの推奨解像度情報と、前記複数のビデオタイミングブロックの優先順位を前記優先順位情報に応じて順次マッチングし、
前記ソース機器は、前記マッチングした結果、前記複数のビデオタイミングブロックの優先順位のうちから、前記ビデオデータの推奨解像度情報とマッチングされるビデオタイミングブロックを選択する、請求項８に記載のソース機器。
【請求項１２】
シンク機器によって行われるデータを送受信する方法であって、
ソース機器からＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報の読み取り要請を受信することと、
前記ソース機器に前記ＥＤＩＤ情報を送信することと
を含み、
前記ＥＤＩＤ情報は、
基本解像度情報を含むＢａｓｅ  ＥＤＩＤブロックと、
高解像度情報を含む少なくとも１つのビデオタイミングブロックと、前記少なくとも１つのビデオタイミングブロックの優先順位情報とを含むＤｉｓｐｌａｙＩＤ（Ｄｉｓｐｌａｙ  Ｉｄｅｎｔｉｆｉｃａｔｉｏｎ  Ｄａｔａ）ストラクチャと
を含む、方法。
【請求項１３】
前記優先順位情報は、前記シンク機器によって支援可能な少なくとも１つのビデオタイミングブロック、または複数のビデオタイミングブロックの優先順位を表す、請求項１２に記載の方法。
【請求項１４】
シンク機器であって、
データを送受信するように構成された送信機と、
前記送信機を制御するように構成されたコントロールユニットと
を備え、
前記ソース機器は、
ソース機器からＥＤＩＤ情報の読み取り要請を受信することと、
前記ソース機器に前記ＥＤＩＤ情報を送信することと
を行うように構成され、
前記ＥＤＩＤ情報は、
基本解像度情報を含むＢａｓｅ  ＥＤＩＤブロックと、
高解像度情報を含む少なくとも１つのビデオタイミングブロックと、前記少なくとも１つのビデオタイミングブロックの優先順位情報とを含むＤｉｓｐｌａｙＩＤ（Ｄｉｓｐｌａｙ  Ｉｄｅｎｔｉｆｉｃａｔｉｏｎ  Ｄａｔａ）ストラクチャと
を含む、シンク機器。
【請求項１５】
前記優先順位情報は、前記シンク機器によって支援可能な少なくとも１つのビデオタイミングブロック、または複数のビデオタイミングブロックの優先順位を表す、請求項１４に記載のシンク機器。
【発明の詳細な説明】
【技術分野】
【０００１】
本明細書は、ディスプレイインターフェースを用いるデータ送受信機器及びその方法に関し、特に、ディスプレイインターフェースを介してシンク機器の高解像度情報を送信することにより、ＵＨＤ級解像度である４Ｋ、８Ｋの画質を支援するためのデータ送受信機器及びその方法を提案しようとする。
【背景技術】
【０００２】
ディスプレイインターフェースは、モニタやＴＶのようなディスプレイ装置に画面を送信するためのインターフェースを意味する。ディスプレイインターフェースとしては、代表的にＤＶＩ（Ｄｉｇｉｔａｌ  Ｖｉｓｕａｌ  Ｉｎｔｅｒｆａｃｅ）、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）、ディスプレイポート（ＤｉｓｐｌａｙＰｏｒｔ）などが存在する。
【０００３】
特に、ディスプレイポートは、ＶＥＳＡにより制定されたディスプレイインターフェース標準である。ディスプレイポートは、デジタル映像信号を伝達し、デジタル音声も１つのケーブルで出力することができる。ディスプレイポートは、映像だけでなく、デジタル音声も１つのケーブルで出力することができ、コネクタの大きさが小さいことが特徴である。
【０００４】
ディスプレイポートは、オーディオ／ビデオデータストリームを送信するための単方向メインリンク（Ｍａｉｎ  Ｌｉｎｋ）及びプラグ−アンド−プレー（ｐｌｕｇ−ａｎｄ−ｐｌａｙ）動作のためのハーフ−デュプレックス両方向補助チャネル（ＡＵＸ  ＣＨ）を定義する。
【発明の概要】
【発明が解決しようとする課題】
【０００５】
従来には、ディスプレイポートを介してソース機器からシンク機器に無圧縮ビデオデータを送信する場合、シンク機器でＵＨＤ級解像度（例えば、４Ｋ、８Ｋ画質）を提供できない場合が発生した。
【０００６】
これは、シンク機器からソース機器に送信されるＥＤＩＤ情報に含まれたＢａｓｅ  ＥＤＩＤブロックとＤｉｓｐｌａｙＩＤエクステンションブロックとの間の優先順位が指定されていないためである。より詳細には、Ｂａｓｅ  ＥＤＩＤブロックは、シンク機器が支援可能なＵＨＤ級解像度情報を表すためのビット数が足りないので、ＤｉｓｐｌａｙＩＤエクステンションブロックに高解像度情報を付加することにより、Ｂａｓｅ  ＥＤＩＤブロックの足りないビット数を補完した。
【０００７】
しかし、上述したように、Ｂａｓｅ  ＥＤＩＤブロックとＤｉｓｐｌａｙＩＤエクステンションブロックとの間の優先順位が指定されていないので、ソース機器は、Ｂａｓｅ  ＥＤＩＤブロックに含まれた解像度情報を基準として生成したビデオデータをシンク機器に送信する場合が発生することになる。その結果、シンク機器は、ＵＨＤ級解像度を提供できるにもかかわらず、より低い画質の解像度を提供するという問題が生じるようになる。
【課題を解決するための手段】
【０００８】
上述した技術的課題を解決するために、本発明に係るソース機器のデータ送受信方法は、シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報の読み取り要請を送信するステップと、前記シンク機器から前記ＥＤＩＤ情報を受信するステップと、前記ＥＤＩＤ情報に基づいてビデオタイミングブロックを決定するステップとを含み、前記ＥＤＩＤ情報は、基本解像度情報を含むＢａｓｅ  ＥＤＩＤブロック及び高解像度情報を含む少なくとも１つのビデオタイミングブロックと、前記少なくとも１つのビデオタイミングブロックの優先順位情報を含むＤｉｓｐｌａｙＩＤ（Ｄｉｓｐｌａｙ  Ｉｄｅｎｔｉｆｉｃａｔｉｏｎ  Ｄａｔａ）ストラクチャを含むことができる。
【０００９】
前記優先順位情報は、前記シンク機器が支援可能な少なくとも１つのビデオタイミングブロック、または複数のビデオタイミングブロックの優先順位を表すことができる。
【００１０】
前記優先順位情報が、前記シンク機器が支援可能な１つのビデオタイミングブロックを表す場合、前記ビデオタイミングブロックを決定するステップは、前記シンク機器が支援可能なビデオタイミングブロックを選択するステップを含むことができる。
【００１１】
前記優先順位情報が、前記シンク機器が支援可能な複数のビデオタイミングブロックを表す場合、前記ビデオタイミングブロックを決定するステップは、前記複数のビデオタイミングブロックのタイプバリュー（Ｔｙｐｅ  Ｖａｌｕｅ）を基準として前記ビデオタイミングブロックを選択するステップを含むことができる。
【００１２】
前記優先順位情報が前記複数のビデオタイミングブロックの優先順位を表す場合、ビデオデータの推奨解像度情報と、前記複数のビデオタイミングブロックを前記優先順位情報に応じて順次マッチングするステップをさらに含むことができる。
【００１３】
前記ビデオタイミングブロックを決定するステップは、前記マッチングした結果、前記複数のビデオタイミングブロックのうち、前記ビデオデータの推奨解像度情報とマッチングされるビデオタイミングブロックを選択するステップを含むことができる。
【００１４】
また、ソース機器のデータ送受信方法は、前記決定されたビデオタイミングブロックに基づいたビデオデータを前記シンク機器に送信するステップをさらに含むことができる。
【００１５】
また、本発明の一実施形態に係るソース機器は、データを送受信する送信機と、前記送信機を制御するコントロールユニットとを備え、前記ソース機器は、シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報の読み取り要請を送信し、前記シンク機器から前記ＥＤＩＤ情報を受信し、前記ＥＤＩＤ情報に基づいてビデオタイミングブロックを決定し、前記ＥＤＩＤ情報は、基本解像度情報を含むＢａｓｅ  ＥＤＩＤブロック及び高解像度情報を含む少なくとも１つのビデオタイミングブロックと、前記少なくとも１つのビデオタイミングブロックの優先順位情報を含むＤｉｓｐｌａｙＩＤ（Ｄｉｓｐｌａｙ  Ｉｄｅｎｔｉｆｉｃａｔｉｏｎ  Ｄａｔａ）ストラクチャを含むことができる。
【００１６】
前記優先順位情報は、前記シンク機器が支援可能な少なくとも１つのビデオタイミングブロック、または複数のビデオタイミングブロックの優先順位を表すことができる。
【００１７】
前記優先順位情報が、前記シンク機器が支援可能な１つのビデオタイミングブロックを表す場合、前記ソース機器は、前記シンク機器が支援可能なビデオタイミングブロックを選択できる。
【００１８】
前記優先順位情報が、前記シンク機器が支援可能な複数のビデオタイミングブロックを表す場合、前記ソース機器は、前記複数のビデオタイミングブロックのタイプバリュー（Ｔｙｐｅ  Ｖａｌｕｅ）を基準として前記ビデオタイミングブロックを選択できる。
【００１９】
前記優先順位情報が前記複数のビデオタイミングブロックの優先順位を表す場合、前記ソース機器は、ビデオデータの推奨解像度情報と、前記複数のビデオタイミングブロックを前記優先順位情報に応じて順次マッチングすることができる。
【００２０】
前記ソース機器は、前記マッチングした結果、前記複数のビデオタイミングブロックのうち、前記ビデオデータの推奨解像度情報とマッチングされるビデオタイミングブロックを選択できる。
【００２１】
前記ソース機器は、前記決定されたビデオタイミングブロックに基づいたビデオデータを前記シンク機器に送信することができる。
【００２２】
また、本発明の一実施形態に係るシンク機器のデータ送受信方法は、ソース機器からＥＤＩＤ情報の読み取り要請を受信するステップと、前記ソース機器に前記ＥＤＩＤ情報を送信するステップとを含み、前記ＥＤＩＤ情報は、基本解像度情報を含むＢａｓｅ  ＥＤＩＤブロック及び高解像度情報を含む少なくとも１つのビデオタイミングブロックと、前記少なくとも１つのビデオタイミングブロックの優先順位情報を含むＤｉｓｐｌａｙＩＤ（Ｄｉｓｐｌａｙ  Ｉｄｅｎｔｉｆｉｃａｔｉｏｎ  Ｄａｔａ）ストラクチャを含むことができる。
【００２３】
前記優先順位情報は、前記シンク機器が支援可能な少なくとも１つのビデオタイミングブロック、または複数のビデオタイミングブロックの優先順位を表すことができる。
【００２４】
また、シンク機器のデータ送受信方法は、前記ソース機器から、前記ＥＤＩＤ情報に基づいて決定されたビデオタイミングブロックに基づいたビデオデータを受信するステップをさらに含むことができる。
【００２５】
また、本発明の一実施形態に係るシンク機器は、データを送受信する受信機と、前記受信機を制御するコントロールユニットとを備え、前記シンク機器は、ソース機器からＥＤＩＤ情報の読み取り要請を受信し、前記ソース機器に前記ＥＤＩＤ情報を送信し、前記ＥＤＩＤ情報は、基本解像度情報を含むＢａｓｅ  ＥＤＩＤブロック及び高解像度情報を含む少なくとも１つのビデオタイミングブロックと、前記少なくとも１つのビデオタイミングブロックの優先順位情報を含むＤｉｓｐｌａｙＩＤ（Ｄｉｓｐｌａｙ  Ｉｄｅｎｔｉｆｉｃａｔｉｏｎ  Ｄａｔａ）ストラクチャを含むことができる。
【００２６】
前記優先順位情報は、前記シンク機器が支援可能な少なくとも１つのビデオタイミングブロック、または複数のビデオタイミングブロックの優先順位を表すことができる。
【００２７】
また、前記シンク機器は、前記ソース機器から、前記ＥＤＩＤ情報に基づいて決定されたビデオタイミングブロックに基づいたビデオデータを受信できる。
例えば、本願発明は以下の項目を提供する。
（項目１）
ソース機器のデータ送受信方法において、
シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報の読み取り要請を送信するステップと、
前記シンク機器から前記ＥＤＩＤ情報を受信するステップと、
前記ＥＤＩＤ情報に基づいてビデオタイミングブロックを決定するステップと、
を含み、
前記ＥＤＩＤ情報は、
基本解像度情報を含むＢａｓｅ  ＥＤＩＤブロック及び高解像度情報を含む少なくとも１つのビデオタイミングブロックと、前記少なくとも１つのビデオタイミングブロックの優先順位情報を含むＤｉｓｐｌａｙＩＤ（Ｄｉｓｐｌａｙ  Ｉｄｅｎｔｉｆｉｃａｔｉｏｎ  Ｄａｔａ）ストラクチャを含むソース機器のデータ送受信方法。
（項目２）
前記優先順位情報は、
前記シンク機器が支援可能な少なくとも１つのビデオタイミングブロック、または複数のビデオタイミングブロックの優先順位を表す項目１に記載のソース機器のデータ送受信方法。
（項目３）
前記優先順位情報が、前記シンク機器が支援可能な１つのビデオタイミングブロックを表す場合、
前記ビデオタイミングブロックを決定するステップは、
前記シンク機器が支援可能なビデオタイミングブロックを選択するステップを含む項目２に記載のソース機器のデータ送受信方法。
（項目４）
前記優先順位情報が、前記シンク機器が支援可能な複数のビデオタイミングブロックを表す場合、
前記ビデオタイミングブロックを決定するステップは、
前記複数のビデオタイミングブロックのタイプバリュー（Ｔｙｐｅ  Ｖａｌｕｅ）を基準として前記ビデオタイミングブロックを選択するステップを含む項目２に記載のソース機器のデータ送受信方法。
（項目５）
前記優先順位情報が前記複数のビデオタイミングブロックの優先順位を表す場合、
ビデオデータの推奨解像度情報と、前記複数のビデオタイミングブロックを前記優先順位情報に応じて順次マッチングするステップをさらに含む項目２に記載のソース機器のデータ送受信方法。
（項目６）
前記ビデオタイミングブロックを決定するステップは、
前記マッチングした結果、前記複数のビデオタイミングブロックのうち、前記ビデオデータの推奨解像度情報とマッチングされるビデオタイミングブロックを選択するステップを含む項目５に記載のソース機器のデータ送受信方法。
（項目７）
前記決定されたビデオタイミングブロックに基づいたビデオデータを前記シンク機器に送信するステップをさらに含む項目１に記載のソース機器のデータ送受信方法。
（項目８）
ソース機器において、
データを送受信する送信機と、
前記送信機を制御するコントロールユニットと、
を備え、
前記ソース機器は、
シンク機器にＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報の読み取り要請を送信し、
前記シンク機器から前記ＥＤＩＤ情報を受信し、
前記ＥＤＩＤ情報に基づいてビデオタイミングブロックを決定し、
前記ＥＤＩＤ情報は、
基本解像度情報を含むＢａｓｅ  ＥＤＩＤブロック及び高解像度情報を含む少なくとも１つのビデオタイミングブロックと、前記少なくとも１つのビデオタイミングブロックの優先順位情報を含むＤｉｓｐｌａｙＩＤ（Ｄｉｓｐｌａｙ  Ｉｄｅｎｔｉｆｉｃａｔｉｏｎ  Ｄａｔａ）ストラクチャを含むソース機器。
（項目９）
前記優先順位情報は、
前記シンク機器が支援可能な少なくとも１つのビデオタイミングブロック、または複数のビデオタイミングブロックの優先順位を表す項目８に記載のソース機器。
（項目１０）
前記優先順位情報が、前記シンク機器が支援可能な１つのビデオタイミングブロックを表す場合、
前記ソース機器は、前記シンク機器が支援可能なビデオタイミングブロックを選択する項目９に記載のソース機器。
（項目１１）
前記優先順位情報が、前記シンク機器が支援可能な複数のビデオタイミングブロックを表す場合、
前記ソース機器は、前記複数のビデオタイミングブロックのタイプバリュー（Ｔｙｐｅ  Ｖａｌｕｅ）を基準として前記ビデオタイミングブロックを選択する項目９に記載のソース機器。
（項目１２）
前記優先順位情報が前記複数のビデオタイミングブロックの優先順位を表す場合、
前記ソース機器は、ビデオデータの推奨解像度情報と、前記複数のビデオタイミングブロックを前記優先順位情報に応じて順次マッチングする項目９に記載のソース機器。
（項目１３）
前記ソース機器は、前記マッチングした結果、前記複数のビデオタイミングブロックのうち、前記ビデオデータの推奨解像度情報とマッチングされるビデオタイミングブロックを選択する項目１２に記載のソース機器。
（項目１４）
前記ソース機器は、前記決定されたビデオタイミングブロックに基づいたビデオデータを前記シンク機器に送信する項目８に記載のソース機器。
（項目１５）
シンク機器のデータ送受信方法において、
ソース機器からＥＤＩＤ情報の読み取り要請を受信するステップと、
前記ソース機器に前記ＥＤＩＤ情報を送信するステップと、
を含み、
前記ＥＤＩＤ情報は、
基本解像度情報を含むＢａｓｅ  ＥＤＩＤブロック及び高解像度情報を含む少なくとも１つのビデオタイミングブロックと、前記少なくとも１つのビデオタイミングブロックの優先順位情報を含むＤｉｓｐｌａｙＩＤ（Ｄｉｓｐｌａｙ  Ｉｄｅｎｔｉｆｉｃａｔｉｏｎ  Ｄａｔａ）ストラクチャを含むシンク機器のデータ送受信方法。
（項目１６）
前記優先順位情報は、
前記シンク機器が支援可能な少なくとも１つのビデオタイミングブロック、または複数のビデオタイミングブロックの優先順位を表す項目１５に記載のシンク機器のデータ送受信方法。
（項目１７）
前記ソース機器から、前記ＥＤＩＤ情報に基づいて決定されたビデオタイミングブロックに基づいたビデオデータを受信するステップをさらに含む項目１５に記載のシンク機器のデータ送受信方法。
（項目１８）
シンク機器において、
データを送受信する受信機と、
前記受信機を制御するコントロールユニットと、
を備え、
前記シンク機器は、
ソース機器からＥＤＩＤ情報の読み取り要請を受信し、
前記ソース機器に前記ＥＤＩＤ情報を送信し、
前記ＥＤＩＤ情報は、
基本解像度情報を含むＢａｓｅ  ＥＤＩＤブロック及び高解像度情報を含む少なくとも１つのビデオタイミングブロックと、前記少なくとも１つのビデオタイミングブロックの優先順位情報を含むＤｉｓｐｌａｙＩＤ（Ｄｉｓｐｌａｙ  Ｉｄｅｎｔｉｆｉｃａｔｉｏｎ  Ｄａｔａ）ストラクチャを含むシンク機器。
（項目１９）
前記優先順位情報は、
前記シンク機器が支援可能な少なくとも１つのビデオタイミングブロック、または複数のビデオタイミングブロックの優先順位を表す項目１８に記載のシンク機器。
（項目２０）
前記シンク機器は、前記ソース機器から、前記ＥＤＩＤ情報に基づいて決定されたビデオタイミングブロックに基づいたビデオデータを受信する項目１８に記載のシンク機器。
【発明の効果】
【００２８】
本発明の一実施形態によれば、ソース機器は、シンク機器が提供できる最適の解像度に関する情報が分かるので、ソース機器は、シンク機器の最適解像度を基準として生成したビデオデータをシンク機器に送信することができる。したがって、シンク機器は、スペックに符合する解像度のコンテンツをユーザに適宜提供することができる。
【００２９】
また、本発明の他の実施形態によれば、ソース機器は、シンク機器が支援可能な解像度のうち、ビデオデータのディスプレイ特徴とマッチングされる１つの解像度を選択できるので、シンク機器は、コンテンツを最適の解像度としてユーザに提供できるという効果を有する。
【図面の簡単な説明】
【００３０】
【図１】本発明の一実施形態に係るディスプレイポートシステムのブロック図である。
【図２】ディスプレイポートの支援解像度に関する表である。
【図３】本発明の一実施形態に係るＥＤＩＤストラクチャを示した図である。
【図４】本発明の一実施形態に係るＥＤＩＤエクステンション（Ｅｘｔｅｎｓｉｏｎ）ブロックである。
【図５】本発明の一実施形態に係るＥＤＩＤエクステンション（Ｅｘｔｅｎｓｉｏｎ）ブロックである。
【図６】本発明の一実施形態に係るＤｉｓｐｌａｙＩＤ（Ｄｉｐｓｌａｙ  Ｉｄｅｎｔｉｆｉｃａｔｉｏｎ  Ｄａｔａ）である。
【図７】ディスプレイポートシステムのデータ送受信方法に関する順序図である。
【図８】本発明の一実施形態に係るディスプレイポートシステムの順序図である。
【図９】図８の順序図をソース機器及びシンク機器の立場で図示した順序図である。
【図１０】優先順位情報の実施形態に係るディスプレイポートシステムの動作に関する順序図である。
【図１１】第１実施形態に係るビデオタイミングブロックを図示した図である。
【図１２】第２実施形態に係るビデオタイミングブロックを図示した図である。
【図１３】優先順位情報の実施形態に係るディスプレイポートシステムの動作に関する順序図である。
【図１４】図１３の順序図をソース機器及びシンク機器の立場で図示した順序図である。
【図１５】第３実施形態に係るビデオタイミングブロックを図示した図である。
【発明を実施するための形態】
【００３１】
本明細書において使用される用語は、本明細書での機能を考慮しつつ、なるべく現在広く使用される一般的な用語を選択したが、これは、当分野に従事する技術者の意図、慣例、または新しい技術の出現などによって変わることができる。また、特定の場合は、出願人が任意に選定した用語もあり、この場合、該当する実施形態の説明部分でその意味を記載するであろう。したがって、本明細書において使用される用語は、単純な用語の名称でない、その用語でない実質的な意味と、本明細書の全般にわたる内容に基づいて解釈されるべきであることを明かしておく。
【００３２】
さらに、以下、添付図面及び添付図面に記載された内容を参照して実施形態を詳細に説明するが、実施形態により制限されるか、限定されるものではない。
【００３３】
以下、添付した図面を参照して本発明の望ましい実施形態をより詳細に説明する。
【００３４】
図１は、本発明の一実施形態に係るディスプレイポートシステムのブロック図である。以下では、ディスプレイポートを用いてビデオ／オーディオ／コントロールデータを送受信する機器を通称してディスプレイポートシステムと呼ぶことにする。
【００３５】
図１に示すように、ディスプレイポートシステムは、ソース機器１００及びシンク機器２００を含むことができる。特に、ディスプレイポートシステムにおいてディスプレイポートを介してビデオ／オーディオデータを送信する機器はソース機器１００に該当し、ディスプレイポートを介してビデオ／オーディオデータを受信する機器はシンク機器２００に該当することができる。このとき、２つの機器を連結してデータ送受信を支援する物理的装置として、ディスプレイポートケーブル及びコネクタが提供され得る。
【００３６】
ディスプレイポートケーブル及びコネクタは、メインリンク（Ｍａｉｎ  ｌｉｎｋ）及び補助チャネル（ＡＵＸ  Ｃｈａｎｎｅｌ）とペアリングを行うことができる。メインリンク（Ｍａｉｎ  ｌｉｎｋ）と補助チャネル（ＡＵＸ  Ｃｈａｎｎｅｌ）とは、ビデオデータ、オーディオデータ、及び付加データを送信するのに使用されることができる。
【００３７】
メインリンク（Ｍａｉｎ  ｌｉｎｋ）は、単方向性（ｕｎｉｄｉｒｅｃｔｉｏｎａｌ）、高帯域（ｈｉｇｈ−ｂａｎｄｗｉｄｔｈ）、及び低遅延性（ｌｏｗ−ｌａｔｅｎｃｙ）チャネルである。メインリンク（Ｍａｉｎ  ｌｉｎｋ）は、等時性データストリーム（ｉｓｏｃｈｒｏｎｏｕｓ  ｄａｔａ  ｓｔｒｅａｍｓ）の送信に適合するように使用されることができる。
【００３８】
補助チャネル（ＡＵＸ  Ｃｈａｎｎｅｌ）は、半二重（ｈａｌｆ−ｄｕｐｌｅｘ）及び両方向性（ｂｉｄｉｒｅｃｔｉｏｎａｌ）チャネルである。補助チャネルは、機器間の連結を制御するか、機器をコントロールするのに使用されることができる。補助チャネル（ＡＵＸ  Ｃｈａｎｎｅｌ）を介しての通信を行うにあたって、ソース機器１００は、補助チャネル（ＡＵＸ  Ｃｈａｎｎｅｌ）を活性化または開始するマスター機器でありうるし、シンク機器２００は、活性化された補助チャネル（ＡＵＸ  Ｃｈａｎｎｅｌ）に応答するスレーブ機器でありうる。
【００３９】
ソース機器１００は、シンク機器２００から補助チャネルを介してＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報を受信できる。ソース機器１００は、受信したＥＤＩＤ情報をパーシングして、シンク機器２００の構成情報及び支援機能などを認識できる。ＥＤＩＤ情報は、シンク機器２００に関する様々な情報を含む少なくとも１つのブロックを含むことができるが、これについては、図７と関連して以下において詳細に後述する。
【００４０】
ソース機器１００は、ディスプレイユニット１１０、ユーザ入力インターフェースユニット１２０、コントロールユニット１８０、送信機Ｔｘ、メモリユニット１４０、ストレージユニット１５０、マルチメディアユニット１６０、パワー制御ユニット１３０、及びパワー供給ユニット１７０のうち、少なくとも１つを備える。
【００４１】
シンク機器２００は、ＥＤＩＤ  ＥＥＰＲＯＭ（２１０）、パワー制御ユニット２２０、ディスプレイユニット２３０、ユーザ入力インターフェースユニット２４０、受信機Ｒｘ、コントロールユニット２８０、パワー供給ユニット２５０、メモリユニット２６０、及びマルチメディアユニット２７０のうち、少なくとも１つを備える。以下において、同じ動作を行うユニットに対する説明は重複しないようにする。
【００４２】
ソース機器１００は、ストレージユニット１５０に保存されたコンテンツをシンク機器２００に送信するか、ストリーミングする物理的装置を表す。ソース機器１００は、シンク機器２００に要請（ｒｅｑｕｅｓｔ）メッセージを送るか、シンク機器２００から受信した要請メッセージを受信して処理することができる。ソース機器１００は、送信した要請メッセージに対してシンク機器２００が送信する応答メッセージを処理してユーザに伝達するＵＩを提供でき、ソース機器１００がディスプレイユニット１１０を含む場合には、このＵＩをディスプレイに提供することができる。また、ソース機器１００は、供給を受けようとする電力をシンク機器２００に要請することができる。
【００４３】
シンク機器２００は、ソース機器１００からコンテンツを受信し、ソース機器１００に要請メッセージを送信するか、ソース機器１００から受信したメッセージを処理して応答メッセージを送信できる。シンク機器２００もソース機器１００から受信する応答メッセージを処理してユーザに伝達するＵＩ（Ｕｓｅｒ  Ｉｎｔｅｒｆａｃｅ）を提供でき、シンク機器２００がディスプレイユニットを含む場合には、このＵＩをディスプレイに提供することができる。また、シンク機器２００は、ソース機器１００で要請した電力をソース機器１００に供給することができる。
【００４４】
ユーザ入力インターフェースユニット１２０、２４０は、ユーザのアクションまたは入力を受信でき、実施形態としてユーザ入力インターフェース１２０、２４０は、リモートコントローラ、音声受信／認識装置、タッチ入力センシング／受信装置などに該当することができる。
【００４５】
コントロールユニット１８０、２８０は、各機器の全般的な動作を制御できる。特に、コントロールユニット１８０、２８０は、各機器に含まれたユニット間の通信を行い、各ユニットの動作を制御できる。
【００４６】
メモリユニット１４０、２６０は、様々な種類のデータが仮に保存される揮発性物理装置を表す。
【００４７】
ストレージユニット１５０は、様々な種類のデータを保存できる非揮発性物理的装置を表す。
【００４８】
ＥＤＩＤ  ＥＥＰＲＯＭ（２１０）は、ＥＤＩＤ情報を保存しているＥＥＰＲＯＭを表す。
【００４９】
上述したメモリユニット１４０、２６０、ストレージユニット１５０、ＥＤＩＤ  ＥＥＰＲＯＭ（２１０）は、共にデータを保存する役割をし、これらを全てメモリユニットとして通称することもできる。
【００５０】
ディスプレイユニット１１０、２３０は、ディスプレイポートを介して受信されたデータまたはコンテンツ、メモリユニットに保存されたデータ及びＵＩなどをコントロールユニット１８０、２８０の制御によりディスプレイすることができる。
【００５１】
マルチメディアユニット１６０、２７０は、様々な種類のマルチメディアを再生できる。マルチメディアユニット１６０、２７０は、コントロールユニット１８０、２８０と別に実現されるか、コントロールユニット１８０、２８０と１つの物理的構成として実現されることもできる。
【００５２】
パワー供給ユニット１７０、２５０は、ソース機器１００、シンク機器２００、及びこれらに含まれたユニットの動作に必要な電力を供給できる。
【００５３】
送信機Ｔｘは、ソース機器１００に備えられて、ディスプレイポートを介してデータを送受信するユニットであって、オーディオ／ビデオデータのみならず、機器間のコマンド、要請、アクション、応答などのメッセージを含むデータ送受信を行う。
【００５４】
受信機Ｒｘは、シンク機器２００に備えられて、ディスプレイポートを介してデータを送受信するユニットであって、オーディオ／ビデオデータのみならず、機器間のコマンド、要請、アクション、応答などのメッセージを含むデータ送受信を行う。
【００５５】
パワー制御ユニット１３０、２２０は、送受信機を介しての機器間の電力送受信を管理及び制御することができる。
【００５６】
上述した各ユニットのうち、送信機Ｒｘ、受信機Ｔｘ、コントロールユニット１８０、２８０を除いたユニットは、実施形態によって選択的にソース機器１００またはシンク機器２００に含まれることができ、必須的な構成ユニットに該当しないこともある。
【００５７】
一方、本図面には図示しなかったが、上述した各ブロックに関する説明は、ＨＤＭＩ（登録商標）システムにも同様に適用されることができる。ここで、ＨＤＭＩ（登録商標）システムとは、ＨＤＭＩ（登録商標）を使用してビデオ／オーディオ／コントロールデータを送受信する機器を通称する。ＨＤＭＩ（登録商標）システムは、ソース機器１００、シンク機器２００、及びＨＤＭＩ（登録商標）ケーブルを含むことができる。
【００５８】
ＨＤＭＩ（登録商標）システムにおいてＨＤＭＩ（登録商標）を介してビデオ／オーディオデータを送信する機器がソース機器１００に該当し、ＨＤＭＩ（登録商標）を介してビデオ／オーディオデータを受信する機器がシンク機器２００に該当し、２つの機器を連結してデータ送受信を支援するＨＤＭＩ（登録商標）ケーブルが提供される。
【００５９】
ＨＤＭＩ（登録商標）ケーブル及びコネクタは、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）データチャネル及びＴＭＤＳクロックチャネルを提供する４個のチャネルのペアリングを行うことができる。ＴＭＤＳデータチャネルは、ビデオデータ、オーディオデータ、及び付加（ａｕｘｉｌｉａｒｙ）データを伝達するのに使用されることができる。ＨＤＭＩ（登録商標）システムは、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）  ＤＤＣ（Ｄｉｓｐｌａｙ  Ｄａｔａ  Ｃｈａｎｎｅｌ）を提供する。ＤＤＣは、１つのソース機器１００と１つのシンク機器２００との間の構成（Ｃｏｎｆｉｇｕｒａｔｉｏｎ）及び状態（ｓｔａｔｕｓ）情報交換に使用されることができる。
【００６０】
ＨＤＭＩ（登録商標）システムのソース機器１００とシンク機器２００もディスプレイポートシステムのソース機器１００及びシンク機器２００と同様なユニットを含むことができ、各ユニットに対する説明は、上述したとおりである。
【００６１】
以下では、ディスプレイポートシステムを基準としたビデオデータ送受信方法の様々な実施形態に関して説明する。しかし、後述する実施形態は、ＨＤＭＩ（登録商標）システムにも同一または類似して適用されることができることを明かしておく。
【００６２】
図２は、ディスプレイポートの支援解像度に関する表である。
【００６３】
図２に示すように、ディスプレイポートシステムは解像度を支援できる。本図面に示されたように、ディスプレイポートシステムは、Ｍａｎｄａｔｏｒｙ解像度が指定されていない。したがって、ディスプレイポートシステムにおいてＥＤＩＤ情報に含まれた基本解像度情報、ＥＤＩＤ情報のパーシング順序、及び方法などによってシンク機器２００がディスプレイするコンテンツの解像度は変わることができる。その結果、シンク機器２００が高解像度を支援できるにもかかわらず、低解像度のコンテンツを提供するという問題が生じる可能性がある。これに関するより詳細な説明は、図７と関連して以下において後述する。
【００６４】
図３は、本発明の一実施形態に係るＥＤＩＤストラクチャを示した図である。
【００６５】
図３に示すように、ＥＤＩＤストラクチャは、それぞれのアドレスに含まれた情報を簡略に表す。
【００６６】
ＥＤＩＤストラクチャは、ＶＥＳＡで定義されたディスプレイ装置に対する様々な情報が含まれたデータストラクチャであって、シンク機器２００からソース機器１００に送信され、ソース機器１００により読み取られることができる。ＥＤＩＤストラクチャの場合、バージョン１．３のデータストラクチャがＩＴディスプレイ装置、ＣＥディスプレイ装置、及びビデオインターフェース（ディスプレイポート、ＨＤＭＩ（登録商標）等）で使用されている。
【００６７】
ＥＤＩＤストラクチャは、Ｂａｓｅ  ＥＤＩＤブロックを含み、Ｂａｓｅ  ＥＤＩＤブロックもシンク機器２００に関連した様々な情報を含む。特に、本発明と関連してＢａｓｅ  ＥＤＩＤブロックは、シンク機器２００が支援可能な基本解像度情報を含む。ただし、Ｂａｓｅ  ＥＤＩＤブロックは、４Ｋ、８ＫのようなＵＨＤ級の高解像度情報を含むにはビット数が足りないので、前記高解像度より低い画質（例えば、ＨＤ級、Ｆｕｌｌ  ＨＤ級等）に対する基本解像度情報を含む。ソース機器１００は、Ｂａｓｅ  ＥＤＩＤブロックの基本解像度情報に基づいてシンク機器２００に送信するビデオデータの解像度を決定できる。
【００６８】
図４及び図５は、本発明の一実施形態に係るＥＤＩＤエクステンション（Ｅｘｔｅｎｓｉｏｎ）ブロックである。より詳細には、図４は、ＥＤＩＤエクステンションブロックを、図５（ａ）は、ビデオデータブロックを、図５（ｂ）は、オーディオデータブロックを、及び図５（ｃ）は、スピーカー割当（ａｌｌｏｃａｔｉｏｎ）データブロックを示す。
【００６９】
Ｂａｓｅ  ＥＤＩＤブロックに記述されたタイミング情報は、ＩＴディスプレイ装置のためのものであって、ＣＥディスプレイ装置等のタイミング情報を表すために、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）で定義したＥＤＩＤ１．３エクステンションブロックが別に使用され得る。バージョン３のＣＥＡエクステンションブロックは、ＣＥＡ−８６１Ｂ標準で定義され、４個のオプショナルデータブロック（ビデオ、オーディオ、スピーカー割当、ベンダー特定（Ｖｅｎｄｏｒ  Ｓｐｅｃｉｆｉｃ）を明示する。
【００７０】
図５（ａ）のビデオデータブロックにおいて、Ｓｈｏｒｔ  ＶｉｄｅｏＤｅｓｃｒｉｐｔｏｒは、ＣＥＡ−８６１で定義したビデオ識別コード（Ｖｉｄｅｏ  Ｉｄｅｎｔｉｆｉｃａｔｉｏｎ  Ｃｏｄｅ）を表す。図５（ｂ）のオーディオデータブロックにおいて、Ｓｈｏｒｔ  Ａｕｄｉｏ  Ｄｅｓｃｒｉｐｔｏｒは、ＣＥＡ−８６１で定義したオーディオフォーマットコード（Ａｕｄｉｏ  Ｆｏｒｍａｔ  Ｃｏｄｅ）を表す。図５（ｃ）のＳｐｅａｋｅｒ  Ａｌｌｏｃａｔｉｏｎ  Ｄａｔａ  Ｂｌｏｃｋ  Ｄｅｓｃｒｉｐｔｏｒは、ＣＥＡ−８６１で定義したデータブロックペイロード（Ｄａｔａ  Ｂｌｏｃｋ  Ｐａｙｌｏａｄ）を表す。
【００７１】
図６は、本発明の一実施形態に係るＤｉｓｐｌａｙＩＤ（Ｄｉｐｓｌａｙ  Ｉｄｅｎｔｉｆｉｃａｔｉｏｎ  Ｄａｔａ）である。より詳細には、図６（ａ）は、ＤｉｓｐｌａｙＩＤストラクチャであり、図６（ｂ）は、ＤｉｓｐｌａｙＩＤストラクチャに含まれたＤｉｓｐｌａｙＩＤエクステンションブロックのデータブロックフォーマットである。
【００７２】
ＤｉｓｐｌａｙＩＤは、Ｅ−ＥＤＩＤ標準とＥ−ＥＤＩＤバージョン１．４を代替するためのＶＥＳＡ標準である。ＤｉｓｐｌａｙＩＤのバージョン１．１は、２００９年３月に発行され、バージョン１．３は、２０１３年９月に発行された。ＤｉｓｐｌａｙＩＤは、エンベデッドディスプレイと３Ｄディスプレイのための新しい拡張フォーマットだけでなく、既存のＥＤＩＤ拡張フォーマットを含む様々な構造を有するという特徴がある。
【００７３】
図６（ａ）に示すように、ＤｉｓｐｌａｙＩＤストラクチャは、ビデオインターフェース、ディスプレイデバイス技術、タイミングディテール、及び製造社情報のようなコンテンツのディスプレイと関連した様々なデータブロックを含む。
【００７４】
図６（ｂ）に示すように、ＤｉｓｐｌａｙＩＤエクステンションブロックは、様々なフィールドを含むことができる。ＤｉｓｐｌａｙＩＤエクステンションブロックに含まれた各フィールドの長さは可変的であり、具体的なバイト数が指定されていない。ただし、特定フィールドの長さは固定されていることがある。
【００７５】
各フィールドに関する説明は、以下のとおりである。
【００７６】
・Ｄａｔａ  Ｂｌｏｃｋ  Ｉｄｅｎｔｉｆｉｃａｔｉｏｎフィールド：各データブロックのタグを表示する。
【００７７】
・Ｂｌｏｃｋ  Ｒｅｖｉｓｉｏｎ  ａｎｄ  ｏｔｈｅｒ  ｄａｔａ：ブロックにビットが追加されたり変更される場合、Ｒｅｖｉｓｉｏｎが増加する。
【００７８】
・Ｎｕｍｂｅｒ  ｏｆ  Ｐａｙｌｏａｄ  ｂｙｔｅｓ  ０→２４８：１つのデータブロック中にＰａｙｌｏａｄがいくらぐらい使用されたかバイト数で表す。
【００７９】
・１〜Ｎｔｈ  Ｄａｔａ  Ｐａｙｌｏａｄ  Ｂｙｔｅ：ｏｆｆｓｅｔ  ０３ｈからＮｈまでそれぞれのデータペイロードバイトが何の役割をするか表す。
【００８０】
ＤｉｓｐｌａｙＩＤエクステンションブロックは、シンク機器２００が支援可能なビデオタイミングモード情報を含む「ビデオタイミングモードデータブロック（Ｖｉｄｅｏ  Ｔｉｍｉｎｇ  Ｍｏｄｅｓ  Ｄａｔａ  Ｂｌｏｃｋ）（以下、「ビデオタイミングブロック」と呼ぶことにする。）」として使用されることができる。この場合、ビデオタイミングブロックは、シンク機器２００のコンテンツ再生において必要な解像度情報、及びタイミング情報などを含むことができる。特に、本発明の一実施形態に係るビデオタイミングブロックは、Ｂａｓｅ  ＥＤＩＤブロックに含まれていない高解像度情報、例えば、ＵＨＤ級４Ｋ、８Ｋ解像度に関する情報を含むことができる。
【００８１】
ビデオタイミングブロックは、総６個のタイプが存在し、ソース機器１００は、６個のタイプのうち、いずれか１つのタイプのビデオタイミングブロックに基づいたビデオデータをシンク機器２００に送信することができる。このために、６個のタイプのうち、少なくとも１つのタイプのビデオタイミングブロックには、ビデオタイミングブロックの優先順位情報が含まれていることができる。ここで、ビデオタイミングブロックの優先順位情報とは、シンク機器２００が支援可能な少なくとも１つのビデオタイミングブロック、または複数のビデオタイミングブロックの優先順位を表す情報でありうる。
【００８２】
ソース機器１００は、このような優先順位情報に基づいていずれか１つのタイプのビデオタイミングブロックを決定し、決定したビデオタイミングブロックに基づいたビデオデータをシンク機器２００に送信することができる。ビデオタイミングブロックは、ＤｉｓｐｌａｙＩＤストラクチャに含まれているので、本明細書では、ビデオタイミングブロックの優先順位情報がＤｉｓｐｌａｙＩＤストラクチャ含まれていることと表現することもできる。ビデオタイミングブロックの実施形態に関するより詳細な説明は、図１１と関連して以下において詳細に後述する。
【００８３】
図７は、ディスプレイポートシステムのデータ送受信方法に関する順序図である。
【００８４】
図７に示すように、まず、ソース機器１００とシンク機器２００とは相互連結されることができる（Ｓ６００）。この場合、ソース機器１００とシンク機器２００とは、ディスプレイポートケーブルを介して連結されることができるが、これに限定されるものではなく、ＨＤＭＩ（登録商標）ケーブルを介しても連結されることができる。
【００８５】
次に、ソース機器１００は、パワーラインをハイレバルに切り換え、電流を印加できる（Ｓ６１０）。例えば、ソース機器１００は、５Ｖ電力ラインをローレベルからハイレバルに切り換え、電流を印加できる。これを介してソース機器１００は、シンク機器２００のＥＤＩＤ情報が保存されたＥＥＰＲＯＭ及びこれと関連した回路を動作させることができる。
【００８６】
次に、シンク機器２００は、ＨＰＤ（Ｈｏｔ  Ｐｌｕｇ  Ｄｅｔｅｃｔ）ラインをローレベルからハイレベルに切り換えることができる（Ｓ６２０）。この場合、シンク機器２００は、ディスプレイポートケーブルが正常に連結され、ＥＤＩＤ関連回路が活性化されてＥＤＩＤ情報のアクセスが可能であることをソース機器１００に知らせることができる。
【００８７】
次に、ソース機器１００は、シンク機器２００にＥＤＩＤ情報読み取り要請を送信できる（Ｓ６３０）。
【００８８】
次に、シンク機器２００は、ＥＤＩＤ情報読み取り要請に対する応答として、ＥＤＩＤ  ＥＥＰＲＯＭに保存されているＥＤＩＤ情報をソース機器１００に送信することができる（Ｓ６４０）。ＥＤＩＤ情報は、Ｂａｓｅ  ＥＤＩＤブロック、ＣＥＡエクステンションブロック、及びＤｉｓｐｌａｙＩＤストラクチャを含むことができる。各構成に対する説明は、図３〜図６と関連して上述したとおりである。
【００８９】
次に、ソース機器１００は、ＥＤＩＤ情報をパーシングできる（Ｓ６５０）。このとき、本順序図に図示してはいないが、ソース機器１００は、ＥＤＩＤ情報に含まれているＢａｓｅ  ＥＤＩＤブロック及び／又はＤｉｓｐｌａｙＩＤストラクチャに基づいてシンク機器２００に送信するビデオデータの解像度を決定できる。
【００９０】
従来には、ビデオデータの解像度を決定するにあたって、Ｂａｓｅ  ＥＤＩＤブロックとＤｉｓｐｌａｙＩＤストラクチャに含まれたビデオタイミングブロックとの間に優先順位が指定されておらず、ソース機器１００は、Ｂａｓｅ  ＥＤＩＤブロックに含まれている基本解像度情報に基づいてビデオデータの解像度を決定した。その結果、シンク機器２００が高解像度支援が可能であるにもかかわらず、低解像度のビデオデータを提供するようになるという問題が生じた。
【００９１】
これに対し、本発明におけるＤｉｓｐｌａｙＩＤストラクチャ内のビデオタイミングブロックは、Ｂａｓｅ  ＥＤＩＤブロックより優先順位を有するように設定されることができる。その結果、ソース機器１００がビデオタイミングブロックに含まれている高解像度情報を優先的に考慮してビデオデータの解像度を決定することにより、シンク機器２００が高画質のコンテンツを適宜提供できるようにする。これと関連したより詳細な説明は、図７〜図１５と関連して以下において詳細に後述する。
【００９２】
最後に、ソース機器１００は、受信したＥＤＩＤ情報に基づいてビデオデータをシンク機器２００に送信することができる（Ｓ６６０）。特に、ソース機器１００は、ＥＤＩＤ情報に基づいて決定された解像度に基づいたビデオデータをシンク機器２００に送信することができる。
【００９３】
図８は、本発明の一実施形態に係るディスプレイポートシステムの順序図である。図９は、図８の順序図をソース機器１００及びシンク機器２００の立場で図示した順序図である。
【００９４】
図７と関連して上述した説明は、本順序図等にも同様に適用されることができる。特に、図８のＳ８００ないしＳ８４０ステップは、図７の順序図のＳ６００ないしＳ６４０ステップと各々対応し、図９のＳ６００ないしＳ６４０ステップに対する説明は図７に開示されているので、前記ステップに関する詳細な説明を省略する。
【００９５】
図８及び図９に示すように、ディスプレイポートシステムでＥＤＩＤ情報を受信したソース機器１００は、受信したＥＤＩＤ情報をパーシングしてビデオタイミングブロックを決定できる（Ｓ８５０、Ｓ９００）。より詳細には、シンク機器２００からＥＤＩＤ情報を受信したソース機器１００は、ＥＤＩＤ情報をパーシングして、ビデオデータの解像度を決定するために参照する１つのビデオタイミングブロックを決定できる。
【００９６】
ソース機器１００は、ＥＤＩＤ情報のパーシングの際、ＥＤＩＤ情報に含まれているＢａｓｅ  ＥＤＩＤブロック、ＣＥＡエクステンションブロック、及びＤｉｓｐｌａｙＩＤストラクチャリード（ｒｅａｄ）することができる。もし、ＤｉｓｐｌａｙＩＤストラクチャにビデオタイミングブロックの優先順位情報が含まれている場合、ソース機器１００は、ビデオデータの解像度を決定するのにおいて、前記優先順位情報に基づいて６個のタイプのビデオタイミングブロックのうち、１つのビデオタイミングブロックを選択できる。その結果、ソース機器１００は、Ｂａｓｅ  ＥＤＩＤブロックの基礎解像度情報より、選択されたビデオタイミングブロックに含まれている高解像度情報を優先的に考慮してビデオデータの解像度を決定できる。
【００９７】
ソース機器１００は、優先順位情報の形態によって様々な実施形態としてビデオタイミングブロックを決定するようになるが、これに関する詳細な説明は、図１０〜図１６と関連して以下において詳細に後述する。
【００９８】
最後に、ソース機器１００は、決定したビデオタイミングブロックに基づいたビデオデータを送信できる（Ｓ８６０、Ｓ９１０）。より詳細には、ソース機器１００は、前ステップで決定されたビデオタイミングブロックに含まれた高解像度情報に基づいた１つのビデオデータをシンク機器２００に送信することができる。
【００９９】
図１０は、優先順位情報の実施形態に係るディスプレイポートシステムの動作に関する順序図である。図１１は、第１実施形態に係るビデオタイミングブロックを図示した図である。図１２は、第２実施形態に係るビデオタイミングブロックを図示した図である。図１０と関連してＳ８００ないしＳ８４０ステップに関する説明は、図８と関連して上述したとおりである。
【０１００】
図１０に示すように、ディスプレイポートシステムにおいてソース機器１００は、ＥＤＩＤ情報をパーシングできる（Ｓ１０００）。ソース機器１００は、ＥＤＩＤ情報をパーシングしてシンク機器２００に関する様々な情報を取得できる。
【０１０１】
次に、ディスプレイポートシステムにおいてソース機器１００は、ＥＤＩＤ情報のうち、ＤｉｓｐｌａｙＩＤストラクチャに含まれたビデオタイミングブロックの優先順位情報を利用してシンク機器２００が支援可能なビデオタイミングブロックが複数であるか否かを判断できる（Ｓ１０１０）。
【０１０２】
各ビデオタイミングブロックには、シンク機器２００が支援可能なブロックであることを表す優先順位情報が含まれていることができる。このとき、優先順位情報は、フラグ（ｆｌａｇ）またはビットとして各ビデオタイミングブロックに含まれていることができる。シンク機器２００が支援可能なビデオタイミングブロックの場合、優先順位情報の値はフラグとしてビット値「１」に設定されていることができる。逆に、シンク機器２００が支援しないビデオタイミングブロックの場合、優先順位情報の値はフラグとしてビット値「０」に設定されていることができる。
【０１０３】
より詳細には、図１１に示すように、ビデオタイミングブロックの００ｈ  ｏｆｆｓｅｔは、当該ビデオタイミングブロックのタイプを表すことができる。各ビデオタイミングブロックは、６個のタイプに区別されることができ、６個のタイプバリュー０３ｈ、０４ｈ、０５ｈ、０６ｈ、１１ｈ、及び１３ｈとして区別されることができる。
【０１０４】
ビデオタイミングブロックの優先順位情報は、０１ｈ  ｏｆｆｓｅｔに含まれていることができる。特に、０１ｈ  ｏｆｆｓｅｔでビット０〜２には、ビデオタイミングブロックのビットの値変更情報（以下、「リビジョン（Ｒｅｖｉｓｉｏｎ）情報」）が割り当てられ、ビット３〜７は、ビデオタイミングブロックの優先順位情報が割り当てられ得る。特に、ビット３は、ビデオタイミングブロックの優先順位情報に対するフラグとして割り当てられることができる。
【０１０５】
シンク機器２００により支援可能なビデオタイミングブロックは、リビジョン情報及び優先順位情報が「１」に設定され得る。より詳細には、当該ビデオタイミングブロックの０１ｈ  ｏｆｆｓｅｔでビット０とビット３は各々「１」に設定されることができる。この場合、ソース機器１００は、当該ビデオタイミングブロックのｏｆｆｓｅｔ  ０３ｈ〜０Ｎｈを参照して、ビデオデータの解像度を決定できる。
【０１０６】
Ｏｆｆｓｅｔ  ０３ｈ〜０Ｎｈには、各々ビデオタイミングモードに関する情報を含み、各ビデオタイミングモードには、シンク機器２００が支援可能な高解像度情報が含まれていることができる。ビデオタイミングブロックに複数のビデオタイミングモードが定義されている場合、複数のビデオタイミングモード間にも優先順位が設定されていることができる。
【０１０７】
上述した内容を参照するとき、シンク機器２００が支援可能なビデオタイミングブロックが複数である場合、当該ビデオタイミングブロックのリビジョン情報と優先順位情報との値は、各々「１」に設定されることができる。より詳細には、図１２に示すように、シンク機器２００が第１及び第２タイプのビデオタイミングブロックを支援可能な場合、第１及び第２タイプのビデオタイミングブロックのリビジョン情報及び優先順位情報は共に「１」に設定されることができる。その他、シンク機器２００が支援しないビデオタイミングブロックのリビジョン情報及び優先順位情報は共に「０」に設定されることができる。
【０１０８】
再度図１０を参照すれば、もし、シンク機器２００が支援可能なビデオタイミングブロックが１つである場合、ソース機器１００は、前記ビデオタイミングブロックに基づいたビデオデータを送信できる（Ｓ１０２０）。より詳細には、ソース機器１００は、ビデオタイミングブロックの優先順位情報に応じてシンク機器２００が支援可能なビデオタイミングブロックを選択し、選択したビデオタイミングブロックに含まれた高解像度情報に基づいたビデオデータをシンク機器２００に送信することができる。
【０１０９】
もし、シンク機器２００が支援可能なビデオタイミングブロックが複数である場合、ソース機器１００は、支援可能なビデオタイミングブロックのうち、１つのビデオタイミングブロックを選択できる（Ｓ１０３０）。このとき、ソース機器１００は、ビデオタイミングブロックの「タイプバリュー」を基準として１つのビデオタイミングブロックを選択できる。
【０１１０】
例えば、ソース機器１００は、タイプバリューが低いほど、優先順位が高いものと認識することができる。したがって、ソース機器１００は、シンク機器２００が支援可能なビデオタイミングブロックのうち、タイプバリューが最も小さいビデオタイミングブロックを選択できる。図１２のように、シンク機器２００が第１及び第２タイプのビデオタイミングブロックを支援する場合、ソース機器１００は、タイプバリューが小さい第１タイプのビデオタイミングブロックを選択できる。
【０１１１】
最後に、ソース機器１００は、選択したビデオタイミングブロックに基づいたビデオデータをシンク機器２００に送信することができる（Ｓ１０４０）。
【０１１２】
以上から、優先順位情報が、シンク機器２００が支援可能な少なくとも１つのビデオタイミングブロックを表す場合の実施形態に関して上述した。以下では、優先順位情報が、シンク機器２００が支援可能な複数のビデオタイミングブロックの優先順位を表す実施形態に関して後述する。
【０１１３】
図１３は、優先順位情報の実施形態に係るディスプレイポートシステムの動作に関する順序図である。図１４は、図１３の順序図をソース機器とシンク機器との立場で図示した順序図である。
【０１１４】
図１３と関連して、Ｓ８００ないしＳ８４０ステップは、図８と関連して上述したので、重複する説明を省略する。図１４と関連して、Ｓ６００ないしＳ６４０ステップは、図７と関連して上述したので、重複する説明を省略する。
【０１１５】
図１３及び図１４に示すように、ディスプレイポートシステムにおいてソース機器１００は、ＥＤＩＤ情報をパーシングしてビデオデータの推奨解像度情報とマッチングされるビデオタイミングブロックを選択できる（Ｓ１３００、Ｓ１４００）。
【０１１６】
本実施形態において優先順位情報は、複数のビデオタイミングブロックに対する優先順位を表すことができる。図１０〜図１２の実施形態において、優先順位情報は、シンク機器２００が支援可能な複数のビデオタイミングブロックを表し、複数のビデオタイミングブロック間の優先順位に関する情報は提供しない。
【０１１７】
それに対し、本実施形態において優先順位情報は、シンク機器２００が支援可能な複数のビデオタイミングブロック間の優先順位に関する情報を提供できる。優先順位情報は、ビット等の値として各ビデオタイミングブロックに含まれることができ、これに関するより詳細な説明は、図１５と関連して以下において後述する。
【０１１８】
したがって、ソース機器１００は、ビデオデータの推奨解像度情報とビデオタイミングブロックを優先順位情報に応じて順次マッチングすることにより、マッチングされる１つのビデオタイミングブロックを選択できる。ここで、ビデオデータの推奨解像度情報とは、ビデオデータが再生されるのに必要な最適の解像度及び／又は最上の解像度を表すことができる。
【０１１９】
ソース機器１００は、ビデオデータの推奨解像度情報と各ビデオタイミングブロックに含まれた高解像度情報をビデオタイミングブロックの優先順位情報に応じて順次マッチングさせた後、マッチングされる１つのビデオタイミングブロックを選択できる。
【０１２０】
最後に、ソース機器１００は、選択したビデオタイミングブロックに基づいたビデオデータをシンク機器２００に送信することができる（Ｓ１３１０、Ｓ１４１０）。
【０１２１】
図１５は、第３実施形態に係るビデオタイミングブロックを図示した図である。より詳細には、図１５（ａ）は、第２タイプのビデオタイミングブロックのフォーマット、図１５（ｂ）は、第３タイプのビデオタイミングブロックのフォーマット、図１５（ｃ）は、第５タイプのビデオタイミングブロックのフォーマット、及び図１５（ｄ）は、第６タイプのビデオタイミングブロックのフォーマットを表す。
【０１２２】
図１５に示すように、０１ｈ  ｏｆｆｓｅｔのビット０〜２はリビジョン情報が、ビット３〜７は優先順位情報が割り当てられ得る。特に、本実施形態において各ビデオタイミングブロック０１ｈ  ｏｆｆｓｅｔのビット３〜７に割り当てられる値は、ビデオタイミングブロックの優先順位によって互いに異なることができる。例えば、本図面に示したように、ビデオタイミングブロック内で優先順位が高いほど、ビット３〜７に割り当てられた値が小さいことができる。または、ビデオタイミングブロック内で優先順位が高いほど、０１ｈ  ｏｆｆｓｅｔの値（Ｖａｌｕｅｓ）が小さいことができる。
【０１２３】
したがって、ビデオタイミングブロック間の優先順位が第２タイプ→第３タイプ→第５タイプ→第６タイプの順に高い場合、本図面に示したように、前記ビデオタイミングブロックのビット３〜７には、各々１（‘００００１’）＞２（‘０００１０’）＞３（‘０００１１’）＞４（‘００１００’）値（ｖａｌｕｅｓ）が順次割り当てられ得る。
【０１２４】
ただし、上述した実施形態に限定されず、ビデオタイミングブロック内で優先順位が高いほど、０１ｈ  ｏｆｆｓｅｔの値（Ｖａｌｕｅｓ）が大きくなることもできる。
【０１２５】
ソース機器１００は、第１タイプのビデオタイミングブロックを優先的に読む特性があるので、前記ビデオタイミングブロックのビット３〜７には、「１」値（ｖａｌｕｅｓ‘１’）以外の他の値が割り当てられ得る。また、第４タイプのビデオタイミングブロックは、ＤＭＴ  ＩＤ  ｃｏｄｅであって、Ｐｒｅｆｅｒｒｅｄ  Ｔｉｍｉｎｇで設定され得ない特性があるので、ビット３〜７には、「１」値（ｖａｌｕｅｓ‘１’）以外に他の値が割り当てられ得る。
【０１２６】
説明の便宜のために各図面を分けて説明したが、各図面に述べられている実施形態を併合して新しい実施形態を実現するように設計することも可能である。また、データ送受信機器は、上述したように説明された実施形態等の構成と方法が限定して適用され得るものでなく、上述した実施形態等は、様々な変形がなされ得るように、各実施形態等の全部または一部が選択的に組み合わせられて構成されることもできる。
【０１２７】
また、以上では望ましい実施形態について図示し、説明したが、本明細書は、上述した特定の実施形態に限定されず、請求の範囲で請求する要旨を逸脱することなく、当該明細書が属する技術分野における通常の知識を有した者により様々な変形実施が可能であることはもちろんであり、このような変形実施は、本明細書の技術的思想や展望から個別的に理解されてはならないであろう。
（発明の実施のための形態）
【０１２８】
様々な実施形態が本発明を実施するための最善の形態で説明された。
【産業上の利用可能性】
【０１２９】
本発明は、一連のディスプレイインターフェース分野（例えば、ディスプレイポート、ＨＤＭＩ（登録商標）等）で利用される。
【０１３０】
本発明の思想や範囲を逸脱することなく、本発明において様々な変更及び変形が可能であることは当業者に自明である。したがって、本発明は、添付された請求項及びその同等範囲内で提供される本発明の変更及び変形を含むことと意図される。
【図１】
0006266136.tif 000002
【図２】
0006266136.tif 000003
【図３】
0006266136.tif 000004
【図４】
0006266136.tif 000005
【図５】
0006266136.tif 000006
【図６】
0006266136.tif 000007
【図７】
0006266136.tif 000008
【図８】
0006266136.tif 000009
【図９】
0006266136.tif 000010
【図１０】
0006266136.tif 000011
【図１１】
0006266136.tif 000012
【図１２】
0006266136.tif 000013
【図１３】
0006266136.tif 000014
【図１４】
0006266136.tif 000015
【図１５】
0006266136.tif 000016